(57)【要約】      （修正有）【課題】部材の加工と組み立てが容易で、お神札を風等で転倒しないように立てることが可能となるお神札立てを提供する。【解決手段】お神札Ｈを載せる板状の台座１とお神札を立てて支える支持板２と該支持板２を立てて支えると共に該支持板２を台座１上で上下及び前後に移動させるスライダ３とから成り、台座は、前側をお神札の横幅と同程度の横幅に形成し、最前部と後部を避けた前寄りの上面に、後部の上面１ｂよりも一段と低い平坦な段差面４ａと該段差面の前側に立ち上げた平坦な前壁面４ｂと後側に立ち上げた後壁面４ｃとを有する段差部４を形成し、スライダは、台座の後部の上面に摩擦抵抗を有するスライド係止部を介して前後方向のみスライド可能に係止し、支持板は、段差面上に板面を前壁面に向けて上部を後へ傾斜させて載置すると共にスライダの前端部にスライド係止部を介して上下方向のみスライド可能に係止する。【選択図】図１
2018015085.tif 000002
【特許請求の範囲】
【請求項１】
お神札を載せる板状の台座とお神札を立てて支える支持板と該支持板を立てて支えると共に該支持板を台座上で上下及び前後に移動させるスライダとから成り、
前記台座は、前側をお神札の横幅と同程度の横幅に形成し、最前部と後部を避けた前寄りの上面に、後部の上面よりも一段と低い平坦な段差面と該段差面の前側に立ち上げた平坦な前壁面と後側に立ち上げた後壁面とを有する段差部を形成し、
前記スライダは、前記台座の後部の上面に摩擦抵抗を有するスライド係止部を介して前後方向のみスライド可能に係止し、
前記支持板は、前記台座の段差面上に板面を前壁面に向けて上部を後へ傾斜させて載置すると共に前記スライダの前端部にスライド係止部を介して上下方向のみスライド可能に係止したことを特徴とするお神札立て。
【請求項２】
台座とスライダ及び支持板とスライダの各スライド係止部に、相互にスライド可能に嵌合する蟻部と蟻溝部を有することを特徴する請求項１に記載のお神札立て。
【請求項３】
蟻部と蟻溝部との間に隙間を有することを特徴する請求項２に記載のお神札立て。
【請求項４】
台座の段差面を粗面に形成したことを特徴とする請求項１から３のうちいずれかに記載のお神札立て。
【請求項５】
台座の前壁面と支持板の板面とを平行に形成したことを特徴する請求項１から４のうちいずれかに記載のお神札立て。
【請求項６】
台座の段差面の前壁面下に該前壁面に沿った掛止溝を該段差面よりも一段低く形成したことを特徴する請求項１から５のうちいずれかに記載のお神札立て。
【請求項７】
台座の掛止溝の底面を、お神札の厚さよりも大きい溝幅に形該するか又はお神札の厚さと支持板の厚さとの合算幅よりも大きい溝幅に形成したことを特徴する請求項６に記載のお神札立て。
【請求項８】
台座の段差面の横幅を、前壁面部分においては大きいお神札の横幅と同程度の横幅とし、後壁面部分においては小さいお神札の横幅と同程度の横幅とし、台座全体を前記段差面の形状と重なる台形状に形成し、支持板の横幅を前記段差部の後壁面部分と同じ横幅としたことを特徴とする請求項１から７のうちいずれかに記載のお神札立て。
【発明の詳細な説明】
【技術分野】
【０００１】
本発明は神社で授与された「お神札」を室内において立てて祭る器具に関する。
【背景技術】
【０００２】
本発明者は先に下記特許文献１の「お神札立て」を提案した。
そのお神札立ては、前寄りに掛止溝を備えた台部の後側に前後に向けて嵌合溝を設け、該嵌合溝にお神札の背後を支持する支持板を直立に嵌合させ、掛止溝にお神札を載せる際に、該掛止溝に設けた拡幅調節部材をお神札の下辺の長さに合わせて左右スライドさせることで、異なるどのサイズのお神札に対してもお神札下辺の全幅を支持して安定的に立て掛けできるようにしたものである。
【０００３】
しかしながら、上記お神札立ては、台部１点、支持板１点、拡幅調節部材４点の合計６点もの部材を必要とし、その部材の加工と組み立てには大変手間がかかり、その結果、製品が高価なものとなってしまうという問題があった。
又、お神札は尊く祭られるものであり、転倒や神棚から落下が起こると不吉な予兆であるとして縁起が悪いと考える人がいるが、上記提案では拡幅調節部材によってお神札の左右の傾きを防止して倒れ難いように安定的に立てられるようになったものの、お神札は単に掛止溝上に載せるだけなので、窓から入る風等による転倒や落下を防止することができなかった。
【先行技術文献】
【特許文献】
【０００４】
【特許文献１】実用新案登録第３１６３５６１号
【発明の概要】
【発明が解決しようとする課題】
【０００５】
本発明は、上記事情に鑑み、少ない部材点数とすることで、加工と組み立ての手間を削減すると共にお神札の転倒や神棚からの落下が防止可能となるコンパクトなお神札立てを提供することを目的とする。
【課題を解決するための手段】
【０００６】
上記課題を解決するため、本発明のお神札立ては、お神札を載せる板状の台座とお神札を立てて支える支持板と該支持板を立てて支えると共に該支持板を台座上で上下及び前後に移動させるスライダとから成り、前記台座は、前側をお神札の横幅と同程度の横幅に形成し、最前部と後部を避けた前寄りの上面に、後部の上面よりも一段と低い平坦な段差面と該段差面の前側に立ち上げた平坦な前壁面と後側に立ち上げた後壁面とを有する段差部を形成し、前記スライダは、前記台座の後部の上面に摩擦抵抗を有するスライド係止部を介して前後方向のみスライド可能に係止し、前記支持板は、前記台座の段差面上に板面を前壁面に向けて上部を後へ傾斜させて載置すると共に前記スライダの前端部にスライド係止部を介して上下方向のみスライド可能に係止したことを特徴とする。
【０００７】
請求項２に記載の発明にあっては、上記各発明において、前記台座とスライダ及び支持板とスライダの各スライド係止部に、相互にスライド可能に嵌合する蟻部と蟻溝部を有することを特徴する。
【０００８】
請求項３に記載の発明にあっては、上記各発明において、前記蟻部と蟻溝部との間に隙間を有することを特徴する。
【０００９】
請求項４に記載の発明にあっては、上記各発明において、前記台座の段差面を粗面に形成したことを特徴とする。
【００１０】
請求項５に記載の発明にあっては、上記各発明において、前記台座の前壁面と支持板の板面とを平行に形成したことを特徴する。
【００１１】
請求項６に記載の発明にあっては、上記各発明において、前記台座の段差面の前壁面下に該前壁面に沿った掛止溝を該段差面よりも一段低く形成したことを特徴する。
【００１２】
請求項７に記載の発明にあっては、上記各発明において、前記台座の掛止溝の底面を、お神札の厚さよりも大きい溝幅に形該するか又はお神札の厚さと支持板の厚さとの合算幅よりも大きい溝幅に形成したことを特徴する。
【００１３】
請求項８に記載の発明にあっては、上記各発明において、前記台座の段差面の横幅を、前壁面部分においては大きいお神札の横幅と同程度の横幅とし、後壁面部分においては小さいお神札の横幅と同程度の横幅とし、台座全体を前記段差面の形状と重なる台形状に形成し、支持板の横幅を前記段差部の後壁面部分と同じ横幅に形成したことを特徴とする。
【発明の効果】
【００１４】
本発明のお神札立ては、スライダの前後のスライド移動によりスライダの前端部に係止した支持板をスライダと一緒に台座上を前後に移動させ、段差面上に立てたお神札を該支持板と前壁面との間に挟み、スライダを前壁面に向けて手で押し付けた後その手を離すと、スライド係止部の摩擦抵抗により、お神札が支持板で押圧された状態のままで固定される。
即ち、お神札は段差面上に単に載せるだけではなく、支持板と前壁面とで挟んで固定することによって風を受けても容易には倒れなくなる。
又、構成部材を３点と少ない点数としたことで、壊れ難くなると共に部材の加工や組み立てのため手間などにかかるコストを大幅に削減することが可能となる。
更に、台座をお神札の底面幅と同程度の横幅とコンパクトにしたこと狭い空間でも使用可能となる。
【００１５】
請求項２に記載の発明においては、スライド係止部を蟻部と蟻溝部の嵌合スライド構造とすることで、部材そのものを加工することによって新たな別の部材を用いる必要がなくなり、全体のコンパクト化と製造コストの削減とが可能となる。
又、木材の蟻溝部と蟻部は前後方向や上下方向のみのスライド移動が可能となり、且つ木材加工の精度を高めることによって両者を密着させてスライド移動を難くするように嵌合させることができるのでスライド係止部の摩擦抵抗を高めることが容易となる。
【００１６】
請求項３に記載の発明においては、前記各蟻溝部と蟻部との間に隙間があるので、支持板を下げつつスライダの前側を強く持ち上げると各蟻溝部と蟻部とが斜めとなって楔のように蟻溝部と蟻部の各斜面同士が噛み合い、台座と支持板とスライダとが一体に強く固定される。そして、この作業をお神札の下部を前壁面と支持板で挟んだままで行えば、立てたお神札を強く固定することが可能となる。
【００１７】
請求項４に記載の発明においては、前記台座の段差面を粗面に形成することで、お神札の底面に対する滑り摩擦を高め、載せたお神札の底面が段差面上のどの位置においても、前滑りすることなく立て掛け位置を維持することが可能となる。
この結果、机等の低い位置に置いたときに、人の目線に合う角度にお神札を傾斜させておくことが可能となる。
【００１８】
請求項５に記載の発明においては、台座の前壁面と支持板の板面とを平行に形成することによって、前壁面の全面と支持板の下部との対向面にお神札が密接状態に挟まれ、お神札をより安定的に固定させることが可能となる。
【００１９】
請求項６に記載の発明においては、前記台座の段差面の前壁面下に該前壁面に沿った掛止溝を該段差面よりも一段低く形成したことで、その一段低い掛止溝内にお神札の下部が落とし込まれ、この結果、前壁面のお神札に当る挟み付け面積が広くなり、お神札を安定的に固定することが可能となる。
【００２０】
請求項７に記載の発明においては、前記台座の掛止溝の底面を、お神札の厚さと支持板の厚さとの合算幅よりも大きい溝幅に形成することで、該掛止溝にお神札と共に前記支持板も同時に落し込み可能となり、この結果、支持板下部のお神札に当る部分の面積が広く得られてより安定的にお神札を固定することが可能となる。
【００２１】
請求項８に記載の発明においては、段差面の前壁面部分ではお神札の横幅と同程度の横幅で、後壁面部分では小さいお神札の横幅と同程度の横幅なので、お神札の横幅のサイズに応じてお神札を前後調節して載せることにより、お神札の横幅のサイズが大小異なっていても台座から外にお神札をはみ出させずに見栄え良く立てることが可能となる。
又、台座の後側は前側より小さくなるので、前から見ると台座の後部と支持板とはお神札に隠れて見えなくなり、又斜め横から見たときには台座の後部は小さく目立たないので見栄えが良くなる。
【図面の簡単な説明】
【００２２】
【図１】本発明の１枚のお神札を立てた使用状態を示す斜視図である。
【図２】本発明の（イ）は全ての部材を分解した状態（ロ）は支持板のみを示す各斜視図である。
【図３】本発明の平面図である。
【図４】お神札を１枚立てた状態を示す縦断側面図である。
【図５】お神札を３枚重ねて立てた状態を示す縦断側面図である。
【図６】掛止溝にお神札と支持板を同時に入れた状態を示す縦断側面図である。
【図７】１枚のお神札を後ろに角度を変えて傾斜させて立てた状態を示す縦断側面図である。
【発明を実施するための形態】
【００２３】
本発明のお神札立ての形態を以下図を参照して説明する。
本発明は、図１に示すように、板状の台座１と矩形の支持板２とそれらを接続する駒状のスライダ３とで構成する。
図２の（イ）はお神札立てを分解した状態を示し、（ロ）は分解した支持板２の裏面を示す。
各部材には杉松等の木材やプラスチック等も使用が可能であるが、以下、表面に着色等の塗装を施さない無垢の檜材を用いた実施例で説明する。
【００２４】
前記台座１は、図１に示すように、底面１ａを一般的なお神札Ｈの下部の８０ｍｍの横幅より僅かに小さい７５ｍｍの横幅とし、前後に１２０ｍｍの長さを有する厚さ２０ｍｍ程の肉厚な板を用いる。
そして、図２の（イ）に示すように、その板の最前部を２０ｍｍ幅と、後部の６０ｍｍ幅を避けた板面前寄りに、後部の上面１ｂよりも１０ｍｍ程度一段と低い平坦な前後４０ｍｍ幅の段差面４ａと、該段差面４ａの前側に１０ｍｍ程度以上の高さに立ち上げた平坦な前壁面４ｂと、後側に１０ｍｍ程度以上の高さに立ち上げた平坦な後壁面４ｃとを有する段差部４を形成する。
該段差部４の段差面４ａの前壁面４ｂと後壁面４ｃとの間は、左右両側を立ち上げずにフラットに形成する。
【００２５】
そして、図２に示すように、前記台座１の後部の上面１ｂに摩擦抵抗を有するスライド係止部６、７を介して２０ｍｍの横幅、３０ｍｍの高さと、前後６０ｍｍの長さを有するスライダ３を前後方向のみスライド可能に係止する。
【００２６】
又、図１に示すように、前記台座１の段差面４ａ上に板面を前壁面４ｂに向けて１２０ｍｍの高さ、７０ｍｍの横幅、７ｍｍの厚さを有する矩形の支持板２を載置すると共に、図２の（イ）に示すように、前記スライダ３の前端部にスライド係止部８、９を介して支持板２を上下方向のみスライド可能に係止する。その際、支持板２は台座１の上面１ｂに対して上部を後側に倒した状態に少し傾斜させる。
【００２７】
そして、台座１に対して上部を後へ傾斜させた矩形の支持板２は、その板面を、図２に示すように、段差面４ａの横幅とほぼ同じか又は少し短い横幅Ｃとし、高さはお神札の長さより低く、最小でも半分程度までの高さとする。
前記台座１の底面１ａはお神札Ｈの下部の横幅の８０ｍｍより僅かに短い７５ｍｍの横幅Ｃとする。
この場合、神社から授与される神札は下部より上部の横幅が広く形成されているので、支持板２の前にそのお神札Ｈを立てると支持板２がお神札の後ろに全て隠れて見えなくなる。
又、支持板２の底面２ｃは、図４に示すように、段差面４ａと平行に形成すれば傾斜した支持板２の底面２ｃと前記段差面４ａの面同士が隙間なく当接するので見栄えが良くなる。
【００２８】
本発明は、図２に示すように、前記台座１の段差面４ａ上にお神札Ｈを載せて前記支持板２でお神札の背後を支えるようにしてお神札Ｈを立てるため、前記支持板２は前記台座１の上面１ｂに対して上部を後側に倒した状態に少し傾斜させる。その理由は、前記支持板２の上部を前側に倒した状態に傾斜させると、お神札が自然と前に倒れて落下してしまうので好ましくないためである。
又、お神札Ｈを載せるための段差面４ａの前壁面４ｂと後壁面４ｃとの間隔は、お神札Ｈの厚さと前記支持板の厚さを加えた値よりも大きな幅とし、その最大幅は重ねて立てる枚数に応じた幅とすることができる。
立てるお神札の枚数が多いとスライダ３の前後幅をその数の分大きくしなければならず、神棚等の棚に載せる際に棚幅を超えてしまうので、図５に示すように、前壁面４ｂと後壁面４ｃとの間隔は３枚程度の枚数に対応可能な幅とすることが好ましい。
【００２９】
又、お神札Ｈを段差面４ａ上に載せて立てた際に、段差面４ａが平滑面であるとお神札は上部が支持板に支えられるが、後側に倒れているので自重でその底面が前滑りして寝てしまうおそれがある。
このため、段差部４の段差面４ａを滑り難い粗面４ｄに形成することで、その面の摩擦抵抗によりお神札は前滑りを起こさず、立てかけた傾斜角度をそのまま維持できるようになる。該粗面４ｄの形状は、工具による荒削り面としたり、表面に小さい凹凸を設けても良い。
【００３０】
又、前記台座１の後部の上面１ｂとスライダ３との間の前記スライド係止部６、７は、前後方向のみスライド可能に係止され、前記スライダ３の前端部と支持板２との間のスライド係止部８、９は上下方向のみスライド可能に係止されるものであるが、前後方向や上下方向のみのスライド移動は凹溝と凸条の嵌合構造や直線ガイド部と直線レール部との組み合わせ構造とすることが可能である。
そのうち前記台座１の後部の上面１ｂとスライダ３との間の前記スライド係止部６、７については、前記台座１の後部の上面１ｂとスライダ３とに摩擦抵抗を持たせて、スライドし難くしなければならない。
その理由は、お神札Ｈを台座１の前壁面４ｂと支持板２の前面下部とで挟んで、スライダ３が後退せずにお神札に対して押圧状態を維持させるためであり、摩擦抵抗のない平滑面とするとスライダ３がお神札の自重を受けて後退してしまい押さえが効かなくなるからである。
そのスライド係止部８、９の摩擦抵抗は、嵌合対向面が窮屈に嵌合したスライド構造とすれば大きな摩擦抵抗を得ることができる。
【００３１】
本実施例では、前記スライド係止部６、７、８、９を、図２の（イ）及び支持板２の後面１ｂである（ロ）に示すように、高さ約８ｍｍの蟻部７ａ、７ｂ、８ａ、８ｂと深さ約８ｍｍの蟻溝部６ａ、６ｂ、９ａ、９ｂの嵌合スライド構造とする。
そして、該蟻部７ａ、７ｂ、８ａ、８ｂと蟻溝部６ａ、６ｂ、９ａ、９ｂの加工を行うため、前記台座１、支持板２、スライダ３はいずれも該蟻部と蟻溝部が加工可能な厚さの板を用いる。
前記台座１の後部の上面１ｂとスライダ３との間の蟻部７ａ、７ｂと蟻溝部６ａ、６ｂの木材加工の設計では両者間に隙間の生じない寸法にすれば、両側を窮屈に嵌合し高い摩擦抵抗を有し且つスライド可能に形成できる。
【００３２】
例えば、前記台座１の後部上面１ｂの中央を前後に貫く１本の蟻溝部６ａ、６ｂは、台座１の後部上面１ｂから約８ｍｍの深さに形成する。この深さは前記段差部４の段差面４ａの高さより小さいので該蟻溝部６ａ、６ｂは段差面４ａには食い込まない。又スライダ３の蟻部７ａ、７ｂは約８ｍｍとし蟻部と蟻溝部が両側で窮屈にスライド可能に嵌合するようにする。そして、スライダ３は前記台座１の後部上面１ｂで前側へスライドさせると前記段差面４ａの上方を通過する。
【００３３】
なお、前記スライダ３の前端部と支持板２との間は、両者が外れなければ良いので、必ずしも摩擦抵抗を要するものではない。又、図２の（イ）に示すように、スライダ３前端部の蟻部８ａ、８ｂは上下に突き抜けるように形成し、前記支持板２の蟻溝部９ａ、９ｂは下部も上部も突き抜けて形成しても良いが、図２の（ロ）に示すように、上部は途中で止めることも可能である。そのように途中で止める場合には支持板２の下端部が少なくとも段差部４の段差面４ａに届くまで下がるように蟻溝部９ａ、９ｂの高さを確保しなければならない。
【００３４】
このように前記蟻部７ａ、７ｂ、８ａ、８ｂと蟻溝部６ａ、６ｂ、９ａ、９ｂを嵌合させてスライド可能とするスライド係止部６、７、８、９の構造は、部材に直接加工することができるので、別の部材を用いる必要がなく、全体のコンパクト化と製造コストの削減とが可能となる。
なお、図２には、前記各スライド係止部６、７、８、９は台座１の後部の上面１ｂの中央部に前後に向けて１本を形成し、又前記スライダ３と支持板２の下部中央に縦に１本を形成した態様を示しているが、夫々平行に複数本設けることも可能である。
【００３５】
又、台座１とスライダ３とのスライド係止部６、７の各蟻部７ａ、７ｂと蟻溝部６ａ、６ｂとの間には摩擦抵抗を維持しつつ一部に僅かな隙間を形成することができる。
例えば、各蟻部７ａ、７ｂ蟻溝部６ａ、６ｂの後側は窮屈に嵌めつつ前側に僅かな隙間を設けることができる。
この形態では支持板２を下げつつスライダの前側を強く持ち上げることで各蟻溝部と蟻部とが相互に斜めとなって、台座１とスライダ３とは前記各蟻部７ａ、７ｂ蟻溝部６ａ、６ｂとで、又支持板２とスライダ３は前記蟻部８ａ、８ｂと蟻溝部９ａ、９ｂとで夫々楔でロックされたように各斜面同士が強く噛み合い、台座１と支持板２とスライダ３とが一体となって強く固定される。そして、この作業をお神札の下部を前壁面４ｂと支持板２で挟んだ状態で行えば、立てたお神札を強く固定することが可能となる。
なお、前記各蟻溝部と蟻部とは対向面に蟻溝部と蟻部とを入れ替えて逆に設けることもできる。
【００３６】
又、前記台座１には、図２に示すように、前記段差部４の前端の前壁面４ｂに沿って台座１を左右に貫通させた掛止溝５を前記段差面４ａよりも５ｍｍ程度一段低く平坦に形成する。
該溝底面５ｂの前壁面４ｂと後壁面５ｂとの間の溝幅ａは、お神札の底面が差し込めるようにお神札Ｈの厚さｂよりも広い幅に形成する。
そして、図４に示すように、該掛止溝５の前壁面４ｂは、前記支持板２の板面と平行に形成する。即ち前壁面４ｂの傾斜角度を支持板２の傾斜角度と同じ傾斜角度αとし、お神札Ｈを立てる際に、お神札Ｈが前記前壁面４ｂと支持板２の前面２ａとの間に密接状態に挟まれ、上部が後にその角度α傾いた状態となる。
【００３７】
上記の如く前壁面４ｂは、後壁面４ｃとは異なり、支持板２の前面２ａと対向して間にお神札Ｈを挟んで両面で固定するものなので、前壁面４ｂを平坦で広い面積とすることでお神札が前側へ倒れるのを防ぐことができるようになる。
そのため、上記掛止溝５を形成して前記段差面４ａよりも一段低い場所に前壁面４ｂの面積を広げるだけではなく、前壁面４ｂの高さを後壁面４ｃより高くして前壁面４ｂの面積を広げることも転倒防止に有効である。
例えば、後壁面４ｃの高さ１０ｍｍに対して、前壁面４ｂの高さを１５ｍｍと後壁面４ｃより高く形成すれば、挟まれたお神札はより倒れ難くなる。
【００３８】
又、前記掛止溝５の溝底面５ｂは、図６に示すように、お神札Ｈの底面の厚さｂと支持板２の底面の厚さｃとの合算幅よりも大きい横幅ｄとすることができる。
この形態では、前記支持板２の底面２ｃは前記溝底面５ｂ上に接まで下方へ突き出し、その突き出した分だけ前記前壁面４ｂと向かい合う支持板２の前面２ａの下部が広くなるので、お神札Ｈをより安定させて固定することが可能となる。
なお、前記掛止溝５上部の開口幅を、お神札Ｈの底面の厚さｂと支持板２の底面の厚さｃとの合算幅よりも大きい横幅ｄとし、前記掛止溝５の溝底面５ｂの幅を、お神札Ｈの底面の厚さｂと支持板２の底面の厚さｃとの合算幅よりも僅かに小さく、前記掛止溝５を下窄まりに形成すれば、支持板２の底面を該掛止溝５の中へ強く押し下げることで前記前壁面４ｂと支持板２との間に挟んだお神札Ｈを楔を打ち込むように強く固定することが可能となる。
【００３９】
又、台座１の底面１ａを、図３に示すように、前壁面４ｂ部分においては大きいお神札の底面の横幅と同程度の横幅Ａとし、後壁面４ｃ部分においては小さいお神札の底面幅と同程度の横幅Ｂとし、平坦な段差面４ａは前壁面４ｂを下辺とし後壁面４ｃを上辺とする台形に形成することができる。
その際、前記支持板２の底面２ｃの横幅Ｃも前記段差部４の後壁面４ｃと同じ小さいお神札の底面幅と同程度の横幅とする。
この形態では、お神札Ｈの底面のサイズに応じてお神札Ｈの横幅と段差面４ａの横幅とが同じとなる位置に前後に調節して載せることが可能となるため、お神札Ｈを台座１から外にはみ出さずに見栄え良く立てることが可能となる。
又、台座１の後ろ側は支持板２の後に隠れて前から視ると見えず、又斜め横から見ると小さく目立たないので立てたお神札を見栄え良く引き立たせることができる。
【００４０】
（販売形態と組み立て方法）
本発明の商品を販売する際には、組み立てが簡単なので、分解してコンパクト化して箱入れパッケージ販売や袋詰販売に適する。
例えば、台座１の底面１ａと支持板２とを重ね合わせ、段差部４の空間にスライダ３を置くことで全体をコンパクトな長方形の最小空間が得られる箱や袋の収納することが可能となり、組み立てセット販売ができる。
そして梱包から取り出した各部材は、図２に示すように、台座１、支持板２、スライダ３の３点の部品しかなく、組み立ては、図１に示すように、前記台座１にスライダ３を後側からスライドさせて嵌合し、該スライダ３の前端部に支持板２を嵌合させて、台座１の段差部４上に支持板２を立てれば簡単に完成できる。
【００４１】
次に本発明のお神札立ての作用及び効果を使用方法の説明の中での各部の機能を関係づけて説明する。
【００４２】
（使用例１）
先ず、支持板２を段差面４ａの後側に引いて段差面４ａの前側を広げる。
そして、その段差面４ａにお神札Ｈの底面を載せて、一旦お神札Ｈは背面を支持板２の上端に当てて寝かせる。
次にその状態でスライダ３を前へスライド移動させることでお神札Ｈの底面が段差面４ａ上から掛止溝５の底面５ｂ上に下がる。
続けてスライダ３を前へ押すと、図４に示すように、お神札Ｈの下部が後側から支持板２の前面２ａに押されて段差部４の前壁面４ｂに押し当てられる。
そのままスライダ３から手を離すと、スライダ３はスライド係止部６、７の摩擦抵抗によって後退できず、お神札Ｈは前壁面４ｂと支持板２の前面２ａ下部とに押圧された状態で固定が維持される。
このようにお神札Ｈの下部が挟まれて固定されると、開けた窓の風が当っても簡単に倒れてしまうことがない。
【００４３】
（使用例２）
又、図６に示すように、台座１の掛止溝５の底面５ｂを、お神札Ｈの底面の厚さｂと支持板２の底面の厚さｃとの合算幅よりも大きい横幅ｄとした形態では、支持板２の底面２ｃが前記掛止溝５の溝底面５ｂ上に接するまで下がって前記掛止溝５内に深く入り込むので、お神札Ｈはその支持板２の前面２ａの広い下部に押されて前壁面４ｂとの間に挟まれ、より安定的に固定される。
【００４４】
（使用例３）
次に、３枚のお神札Ｈを前後に重ねて立てる場合を説明する。
日本の宗教である神道では三神のお神札Ｈを３枚重ねて立てる場合がある。
その場合、図５に示すように、お神札Ｈの最前列の一枚は台座１の掛止溝５にお神札Ｈの底面を入れ、後の他の２枚は、段差面４ａに載せ、最後列のお神札Ｈの背面を支持板２で支える。
そして、スライダ３を前へスライド移動させ、支持板２で三枚同時に前に押すと、最前列のお神札Ｈの下部が前壁面４ｂに突き当り、最後列のお神札Ｈの背面がスライダ３に押された支持板２に押圧され、３枚が重なった状態で支持板２の前面２ａと前壁面４ｂとの間に挟まれる。
そして、スライダ３を押した手を離すと、スライド係止部６、７の摩擦抵抗でそのままの位置が維持されて３枚が支持板２に押された状態で固定される。
【００４５】
（使用例４）
次に１枚のお神札を少し後へ寝かせて立てる場合について説明する。
この場合、図７に示すように、お神札Ｈは台座１の掛止溝５又は段差部４の平坦な段差面４ａ上に底面を載せ、背面から支持板２を適度な傾斜角度で押し当てて少し寝せた状態に立て掛ける。
そして、支持板２を後退させればさせるほど、お神札Ｈの傾斜をより大きくして寝かせることができる。
その際、大きくスライダ３を後に引いたとき、支持板２の下部が前記後壁面４ｃに当るので、そのまま支持板２はそれ以上後ろへは移動させることができない。しかし、支持板２を台座１の後部上面１ｂより上に移動させると、支持板２は最大スライダ３が台座１から脱落するまで後へ移動できるようになり、お神札を最大傾斜に寝かせることができるようになる。
又その際、各お神札Ｈの下部は、前壁面４ｂと支持板２とで挟んで固定することができないが、お神札は後に寝せるほど前側には倒れ難くなり、寝かせるように大きく後ろに傾斜させたお神札は前に倒れる心配がなくなる。
そしてその際に、スライダ３の蟻部７ａ、７ｂの後部が台座１の蟻溝部６ａ、６ｂから一部外れると、その分のお神札を支持するための摩擦抵抗は減少してしまうが、お神札が寝た状態なのでお神札の自重による後向きに働く力が小さくなるので、スライダ３が蟻溝部６ａ、６ｂから外れ落ちてしまうことはない。
そして、段差面４ａを粗面４ｄとした場合には、段差面４ａのどの位置にお神札Ｈの底面が載っても粗面４ｄの摩擦抵抗によって前に滑り出さずに置いた位置でお神札がそのまま移動しないように載せて置ける。
この結果、お神札の傾斜角度は、テーブルや机などの低い位置に置かれる場合、お神札の正面に目線が合うように調節して傾けることが可能となる。
又、台座１を後側が狭い台形とした形態では、お神札Ｈの底面の横幅に合わせて、段差面４ａの置く位置を前後移動させて調節することで、お神札の左右の下部が段差面４ａから左右に出っ張ることなく見栄えが良い形に立てることができる。
【産業上の利用可能性】
【００４６】
本発明のお神札立ては、お神札以外にも板状の装飾物等を立てて飾るのに利用することも可能である。
【符号の説明】
【００４７】
１  台座
１ａ  底面
１ｂ  上面
２  支持板
２ａ  前面
２ｂ  後面
２ｃ  底面
３  スライダ
４  段差部
４ａ  段差面
４ｂ  前壁面
４ｃ  後壁面
４ｄ  粗面
５    掛止溝
５ａ  後壁面
５ｂ  溝底面
６  台座のスライド係止部
６ａ、６ｂ  蟻溝部
７  スライダのスライド係止部
７ａ、７ｂ  蟻部
８  スライダのスライド係止部
８ａ、８ｂ  蟻部
９  支持板部のスライド係止部
９ａ、９ｂ  蟻溝部
Ｈ  お神札
ａ、ｄ  掛止溝の底面の溝幅
ｂ  お神札の厚さ
ｃ  支持板の厚さ
Ａ  前壁面部分の横幅
Ｂ  後壁面部分の横幅
Ｃ  支持板の横幅
【図１】
2018015085.tif 000003
【図２】
2018015085.tif 000004
【図３】
2018015085.tif 000005
【図４】
2018015085.tif 000006
【図５】
2018015085.tif 000007
【図６】
2018015085.tif 000008
【図７】
2018015085.tif 000009
【手続補正書】
【提出日】平成29年9月4日(2017.9.4)
【手続補正１】
【補正対象書類名】特許請求の範囲
【補正対象項目名】請求項１
【補正方法】変更
【補正の内容】
【請求項１】
お神札を載せる板状の台座とお神札を立てて支える支持板と該支持板を立てて支えると共に該支持板を台座上で上下及び前後に移動させるスライダとから成り、
前記台座は、前側をお神札の横幅と同程度の横幅に形成し、最前部と後部を避けた前寄りの上面に、後部の上面よりも一段と低い平坦な段差面と該段差面の前側に立ち上げた平坦な前壁面と後側に立ち上げた後壁面とを有する段差部を形成し、
前記スライダは、前記台座の後部の上面に摩擦抵抗を有するスライド係止部を介して前後方向のみスライド可能に係止し、
前記支持板は、前記台座の段差面上に板面を前壁面に向けて上部を後へ傾斜させて載置すると共に前記スライダの前端部にスライド係止部を介して上下方向のみスライド可能に係止し、
前記台座の後部の上面と前記スライダとの間のスライド係止部の摩擦抵抗を、前記支持板で前記台座の前壁面に押し付けて挟んだお神札を該支持板で押圧した状態で固定可能な抵抗としたことを特徴とするお神札立て。
【手続補正２】
【補正対象書類名】明細書
【補正対象項目名】０００６
【補正方法】変更
【補正の内容】
【０００６】
上記課題を解決するため、本発明のお神札立ては、お神札を載せる板状の台座とお神札を立てて支える支持板と該支持板を立てて支えると共に該支持板を台座上で上下及び前後に移動させるスライダとから成り、前記台座は、前側をお神札の横幅と同程度の横幅に形成し、最前部と後部を避けた前寄りの上面に、後部の上面よりも一段と低い平坦な段差面と該段差面の前側に立ち上げた平坦な前壁面と後側に立ち上げた後壁面とを有する段差部を形成し、前記スライダは、前記台座の後部の上面に摩擦抵抗を有するスライド係止部を介して前後方向のみスライド可能に係止し、前記支持板は、前記台座の段差面上に板面を前壁面に向けて上部を後へ傾斜させて載置すると共に前記スライダの前端部にスライド係止部を介して上下方向のみスライド可能に係止し、前記台座の後部の上面と前記スライダとの間のスライド係止部の摩擦抵抗を、前記支持板で前記台座の前壁面に押し付けて挟んだお神札を該支持板で押圧した状態で固定可能な抵抗としたことを特徴とする。